(57)【要約】【課題】ワイヤーハーネスの分岐部を作成するに際して、ワイヤーハーネスの全体の寸法が短くならず、しかも、各分岐線の拘束作業性が向上するワイヤーハーネスの分岐用補助部材等を提供する。【解決手段】分岐用補助部材１０は、複数の分岐線Ｗ１〜Ｗ４が引き出される分岐部２に形成される空隙３を埋めるスペーサ部１１と、スペーサ部１１に一体に設けられ、分岐部２より引き出された隣り合う分岐線Ｗ１〜Ｗ４の間に介在され、且つ、各分岐線Ｗ１〜Ｗ４の外周面側を包み込む電線仮保持部１２とを備えた。【選択図】図１
2020149837.tif 000002
【特許請求の範囲】
【請求項１】
複数の分岐線が引き出される分岐部に形成される空隙を埋めるスペーサ部と、
前記スペーサ部に一体に設けられ、前記分岐部より引き出された隣り合う前記分岐線の間に介在され、且つ、前記各分岐線の外周面側を包み込む電線仮保持部とを備えたことを特徴とするワイヤーハーネスの分岐用補助部材。
【請求項２】
請求項１記載のワイヤーハーネスの分岐用補助部材であって、
前記スペーサ部は、三角柱の形状であることを特徴とするワイヤーハーネスの分岐用補助部材。
【請求項３】
請求項１又は請求項２記載のワイヤーハーネスの分岐用補助部材であって、
前記電線仮保持部は、前記スペーサ部側を内周面となる円弧形状であることを特徴とするワイヤーハーネスの分岐用補助部材。
【請求項４】
複数の分岐線が引き出される分岐部が設けられ、前記分岐部には分岐用補助部材が装着され、前記分岐部の外周を前記分岐用補助部材と共に拘束テープで固定され、
前記分岐用補助部材は、複数の前記分岐線が引き出される前記分岐部の空隙を埋めるスペーサ部と、前記スペーサ部に一体に設けられ、前記分岐部より引き出された隣り合う前記分岐線の間に介在され、且つ、前記各分岐線の外周面側を包み込む電線仮保持部とを備えたことを特徴とするワイヤーハーネスの分岐構造。
【発明の詳細な説明】
【技術分野】
【０００１】
本発明は、ワイヤーハーネスの分岐部に配置されるワイヤーハーネスの分岐用補助部材、及び、これを用いた分岐構造に関する。
【背景技術】
【０００２】
従来のワイヤーハーネスの分岐部の作成作業を説明する。図１１（ａ）に示すように、ワイヤーハーネスの配策台４０上に４つのロッド部４２が立設されている。４つのロッド部４２をガイドとし、４つのロッド部４２で囲まれた空間を電線（電線束）の分岐部４３とするようにして電線を配策する。これにより、ワイヤーハーネスＷＨには、第１〜第４分岐線Ｗ１〜Ｗ４が引き出される分岐部４３（図面では、大体の範囲を一点鎖線にて囲んで表示）が形成される。分岐部４３の中心には、空隙４４が形成される。
【０００３】
次に、図１１（ｂ）に示すように、第１〜第４分岐線Ｗ１〜Ｗ４のそれぞれを拘束テープ４５で束ねると共に４つの分岐線Ｗ１〜Ｗ４が引き出される分岐部４３を拘束テープ４６で襷がけして拘束し、分岐部４３自体を固定する。
【０００４】
しかし、拘束テープ４５の襷がけによる拘束は、分岐部４３の中心の空隙４４を狭く、若しくは、ほとんど空隙４４が無くなるように分岐部４３の形態を変化させる。すると、図１１（ｃ）にて矢印で示すように、第１〜第４分岐線Ｗ１〜Ｗ４が分岐部４３に向かって変移するため、ワイヤーハーネスＷＨの全体の寸法が短くなってしまう。
【０００５】
これを解決するため、分岐部４３に形成された空隙４４に弾性体を予め配置しておくことが考えられる（特許文献１参照）。
【先行技術文献】
【特許文献】
【０００６】
【特許文献１】特開平１１−１５５２１６号公報
【発明の概要】
【発明が解決しようとする課題】
【０００７】
分岐部４３の空隙４４に弾性体を配置して空隙４４を埋めることによりワイヤーハーネスＷＨの全体寸法が短くなるのを防止できるが、分岐部４３を中心として引き出される各分岐線Ｗ１〜Ｗ４の拘束作業性が悪いという問題がある。つまり、各分岐線Ｗ１〜Ｗ４は、分岐部４３を中心として単に引き出されているだけなので、拘束テープ４５で拘束する際に各分岐線Ｗ１〜Ｗ４の全体を円形状に丸めて整える作業が必要があり、各分岐線Ｗ１〜Ｗ４の拘束作業が面倒である。
【０００８】
そこで、本発明は、前記した課題を解決すべくなされたものであり、ワイヤーハーネスの分岐部を作成するに際して、ワイヤーハーネスの全体の寸法が短くならず、しかも、各分岐線の拘束作業性が向上するワイヤーハーネスの分岐用補助部材、及び、これを用いた分岐構造を提供することを目的とする。
【課題を解決するための手段】
【０００９】
本発明のワイヤーハーネスの分岐用補助部材は、複数の分岐線が引き出される分岐部に形成される空隙を埋めるスペーサ部と、前記スペーサ部に一体に設けられ、前記分岐部より引き出された隣り合う前記分岐線の間に介在され、且つ、前記各分岐線の外周面側を包み込む電線仮保持部とを備えたことを特徴とする。
【００１０】
本発明のワイヤーハーネスの分岐構造は、複数の分岐線が引き出される分岐部が設けられ、前記分岐部には分岐用補助部材が装着され、前記分岐部の外周を前記分岐用補助部材と共に拘束テープで固定され、前記分岐用補助部材は、複数の前記分岐線が引き出される前記分岐部の空隙を埋めるスペーサ部と、前記スペーサ部に一体に設けられ、前記分岐部より引き出された隣り合う前記分岐線の間に介在され、且つ、前記各分岐線の外周面側を包み込む電線仮保持部とを備えたことを特徴とする。
【発明の効果】
【００１１】
本発明によれば、分岐部を例えば拘束テープで拘束しても分岐部の形態がスペーサ部によって変化することがなく、しかも、各分岐線の外周側が各電線仮保持部で包み込むようにされているため、各分岐線を例えば拘束テープにより拘束する作業がし易い。以上より、ワイヤーハーネスの分岐部を作成するに際して、ワイヤーハーネスの全体の寸法が短くならず、しかも、各分岐線の拘束作業性が向上する。
【図面の簡単な説明】
【００１２】
【図１】本発明の第１実施形態を示し、（ａ）はワイヤーハーネスの分岐構造の斜視図、（ｂ）はワイヤーハーネスの分岐構造の平面図である。
【図２】本発明の第１実施形態を示し、（ａ）は分岐用補助部材の斜視図、（ｂ）は（ａ）のＡ矢視図、（ｃ）は（ａ）のＢ矢視図である。
【図３】本発明の第１実施形態を示し、ワイヤーハーネスの配策台上のロッド治具の斜視図である。
【図４】本発明の第１実施形態を示し、分岐用補助部材をロッド治具にセットした状態を示す斜視図である。
【図５】本発明の第１実施形態を示し、（ａ）はロッド治具に分岐用補助部材を用いてワイヤーハーネスの分岐部をセットした状態を示す斜視図、（ｂ）はロッド治具に分岐用補助部材を用いてワイヤーハーネスの分岐部をセットした状態を示す平面図である。
【図６】本発明の２実施形態を示し、（ａ）はワイヤーハーネスの分岐構造の斜視図、（ｂ）はワイヤーハーネスの分岐構造の平面図である。
【図７】本発明の第２実施形態を示し、ワイヤーハーネスの配策台のロッド治具の斜視図である。
【図８】本発明の第２実施形態を示し、分岐用補助部材をロッド治具にセットした状態を示す斜視図である。
【図９】本発明の第２実施形態を示し、（ａ）はロッド治具に分岐用補助部材を用いてワイヤーハーネスの分岐部をセットした状態を示す斜視図、（ｂ）はロッド治具に分岐用補助部材を用いてワイヤーハーネスの分岐部をセットした状態を示す平面図である。
【図１０】本発明の３実施形態を示し、（ａ）はワイヤーハーネスの分岐構造の斜視図、（ｂ）はワイヤーハーネスの分岐構造の平面図である。
【図１１】従来例を示し、（ａ）はロッド治具にワイヤーハーネスの分岐部をセットした状態を示す平面図、（ｂ）はロッド治具のワイヤーハーネスの分岐部を拘束テープで拘束する過程を示す平面図、（ｃ）は拘束テープの拘束によって各分岐線が分岐部側に変位した状態を示す平面図である。
【発明を実施するための形態】
【００１３】
以下、本発明の実施形態を図面に基づいて説明する。
【００１４】
（第１実施形態：４分岐構造）
図１〜図５には、本発明の第１実施形態が示されている。第１実施形態は、ワイヤーハーネスＷＨの４分岐の分岐構造１Ａである。
【００１５】
図１に示すように、ワイヤーハーネスＷＨの分岐構造１Ａは、第１〜第４分岐線Ｗ１〜Ｗ４が引き出された分岐部２（図面では、大体の範囲を一点鎖線にて囲んで表示）と、この分岐部２に装着された２つの分岐用補助部材１０と、分岐部の外周を分岐用補助部材１０と共に固定する拘束テープ２０，２１とを有する。尚、図１では、分岐用補助部材１０を表示するため、拘束テープ２０，２１が仮想線で示してある。
【００１６】
分岐部２には、それぞれ電線束から成る第１〜第４分岐線Ｗ１〜Ｗ４が９０度回転間隔で引き出されている。
【００１７】
各分岐用補助部材１０は、図２に詳しく示すように、スペーサ部１１と、スペーサ部１１に一体に設けられた２つの電線仮保持部１２とを備えている。
【００１８】
スペーサ部１１は、立設された三角柱状を有する。スペーサ部１１は、分岐部２に形成される空隙３に配置されている。空隙３は、２つのスペーサ部１１によってほぼ埋められている。
【００１９】
各電線仮保持部１２は、スペーサ部１１の直角三角形の２つの底辺よりそれぞれ延設されている。各電線仮保持部１２は、スペーサ部１１の２つの側面側を内周面とする円弧プレート形状にそれぞれ形成されている。各電線仮保持部１２は、スペーサ部１１の各立設面に対向配置されている。各電線仮保持部１２の上端は、自由端であり、スペーサ部１１の立設面との間に隙間が形成されている。各電線仮保持部１２は、弾性変形自在であり、スペーサ部１１の立設面との間を狭くする方向に撓み変形可能である。各電線仮保持部１２は、第１〜第４分岐線Ｗ１〜Ｗ４の内の、隣り合う２つの分岐線（例えばＷ１とＷ２）の間に配置され、各分岐線（例えばＷ１とＷ２）の各外周側を円弧状に包み込むようにしてそれぞれ配置されている。
【００２０】
拘束テープ２０，２１は、分岐部２より引き出される第１〜第４分岐線Ｗ１〜Ｗ４の根本部位をそれぞれ束ねて拘束していると共に、分岐用補助部材１０と共に分岐部２を襷がけして拘束している。
【００２１】
次に、ワイヤーハーネスＷＨの配策台３０について説明する。図３に示すように、ワイヤーハーネスＷＨの配策台３０上には、ロッド治具３１が立設されている。１つのロッド治具３１は、基底ロッド部３１ａと基底ロッド部３１ａの上端よりそれぞれ水平方向に４分岐された４つの水平ロッド部３１ｂと、各水平ロッド部３１ｂの先端より垂直に折曲された４つの垂直ロッド部３１ｃとを有する。４つの垂直ロッド部３１ｃは、上方から見て仮想正方形の４つの角に位置している。
【００２２】
次に、ワイヤーハーネスＷＨの分岐構造１Ａの作成手順を説明する。図４に示すように、ロッド治具３１上に２つの分岐用補助部材１０を載置する。双方の分岐用補助部材１０は、共にスペーサ部１１を背中合わせにして４本の水平ロッド部３１ｂ上に載置し、各電線仮保持部１２を４本の垂直ロッド部３１ｃが外側で支える位置に配置する。
【００２３】
次に、図５に示すように、ワイヤーハーネスＷＨの第１〜第４分岐線Ｗ１〜Ｗ４が引き出される分岐部２を４つの垂直ロッド部３１ｃで囲まれる空間に作成し、且つ、分岐部２によって形成される空隙３に２つのスペーサ部１１が入り込むようにする。分岐部２の空隙３は、スペーサ部１１でほぼ隙間なく埋められる。又、分岐部２より引き出された隣り合う２つの分岐線Ｗ１〜Ｗ４の間（Ｗ１とＷ２の間、Ｗ２とＷ３の間、Ｗ３とＷ４の間、Ｗ４とＷ１の間）には、各電線仮保持部１２が介在され、介在された各電線仮保持部１２は、各分岐線Ｗ１〜Ｗ４）の外周側を円弧状に包み込むようにして配置する。ここで、各電線仮保持部１２の上端側は、スペーサ部１１との隙間を広げる方向に撓み変形可能であるため、各分岐線（例えばＷ１とＷ２）をスペーサ部１１と各電線仮保持部１２の間に容易に挿入できる。又、各電線仮保持部１２は、各垂直ロッド部３１ｃによって中央箇所が外側に弾性変位するのを阻止されているため、分岐部２が所定寸法より拡大されるのを防止できる。
【００２４】
次に、第１〜第４分岐線Ｗ１〜Ｗ４のそれぞれを拘束テープ２０で束ねると共に第１〜第４分岐線が引き出された分岐部２を分岐用補助部材１０と共に拘束テープ２１で襷がけして拘束し、分岐部２自体を固定する。ここで、拘束テープ２１の襷がけによる拘束によっても、分岐部２の空隙３がスペーサ部１１によって埋められているため、分岐部２の形態が収縮する方向に変化しない。又、各分岐線Ｗ１〜Ｗ４の外周側が各電線仮保持部１２で包み込むようにされているため、各分岐線Ｗ１〜Ｗ４を拘束テープ２０，２１により拘束する作業がし易い。以上より、ワイヤーハーネスＷＨの分岐構造を作成するに際して、ワイヤーハーネスＷＨの全体の寸法が短くならず、しかも、各分岐線Ｗ１〜Ｗ４の拘束作業性が向上する。
【００２５】
スペーサ部１１は、三角柱の形状である。従って、第１実施形態のように４分岐する場合に２つの分岐用補助部材１０を使用することによってほぼ隙間なく分岐部２に形成される空隙３を埋めることができる。
【００２６】
電線仮保持部１２は、スペーサ部１１側を内周面となる円弧形状である。従って、各分岐線Ｗ１〜Ｗ４の電線束の全体がほぼ円形状に近い形態になっているため、拘束テープ２０で拘束する作業性が非常に良い。
【００２７】
電線仮保持部１２は、スペーサ部１１を中心として９０度回転間隔の外側位置に配置された２個である。従って、第１実施形態のように４分岐する場合に、２つの分岐用補助部材１０を使用することによってほぼ９０度向きの方向で４つの分岐線を引き出すことができる。
【００２８】
（第２実施形態：３分岐構造）
図６〜図９には、本発明の第２実施形態が示されている。第２実施形態は、ワイヤーハーネスＷＨの３分岐の分岐構造１Ｂである。
【００２９】
ワイヤーハーネスＷＨの分岐構造１Ｂは、第１〜第３分岐線Ｗ１〜Ｗ３が引き出された分岐部２（図面では、大体の範囲を一点鎖線にて囲んで表示）と、この分岐部２に装着された分岐用補助部材１０と、分岐部２の外周を分岐用補助部材１０と共に固定する拘束テープ２０，２１とを有する。尚、図６では、分岐用補助部材１０を表示するため、拘束テープ２０，２１が仮想線で示してある。
【００３０】
分岐部２には、それぞれ電線束から成る第１〜第３分岐線Ｗ１〜Ｗ３が９０度回転間隔で引き出されている。
【００３１】
分岐用補助部材１０は、前記第１実施形態のものと同一構成であるため、説明を省略する。図面の同一構成箇所については、同一符号を付して明確化を図る。
【００３２】
次に、ワイヤーハーネスＷＨの配策台３０について説明する。図７に示すように、ワイヤーハーネスＷＨの配策台３０上には、１つのロッド治具３１が立設されている。ロッド治具３１は、基底ロッド部３１ａと基底ロッド部３１ａの上端よりそれぞれ水平方向に３分岐された３つの水平ロッド部３１ｂと、各水平ロッド部３１ｂの先端より垂直に折曲された３つの垂直ロッド部３１ｃとを有する。３つの垂直ロッド部３１ｃは、上方から見て仮想三角形の３つの角に位置している。
【００３３】
次に、ワイヤーハーネスＷＨの分岐構造１Ｂの作成手順を説明する。図８に示すように、ロッド治具３１上に１つの分岐用補助部材１０を載置する。分岐用補助部材１０は、スペーサ部１１を３本の水平ロッド部３１ｂ上に載置し、各電線仮保持部１２を２本の垂直ロッド部３１ｃが外側で支える位置に配置する。
【００３４】
次に、図９に示すように、ワイヤーハーネスＷＨの第１〜第３分岐線Ｗ１〜Ｗ３が引き出される分岐部２を、３つの垂直ロッド部３１ｃで囲まれる空間に作成し、且つ、分岐部２によって形成される空隙３にスペーサ部１１が入り込むようにする。分岐部２の空隙３は、スペーサ部１１で埋められる。又、分岐部２より引き出された隣り合う２つの分岐線Ｗ１〜Ｗ３の間には、各電線仮保持部１２が介在され、介在された各電線仮保持部１２は、各分岐線Ｗ１〜Ｗ３の外周側を円弧状に包み込むようにして配置する。ここで、各電線仮保持部１２の上端側は、スペーサ部１１との隙間を広げる方向に撓み変形可能であるため、各分岐線Ｗ１〜Ｗ３をスペーサ部１１と各電線仮保持部１２の間に容易に挿入できる。
【００３５】
次に、第１〜第３分岐線Ｗ１〜Ｗ３のそれぞれを拘束テープ２０で束ねると共に第１〜第３分岐線Ｗ１〜Ｗ３が引き出される分岐部２を分岐用補助部材１０と共に拘束テープ２１で襷がけして拘束し、分岐部２自体を固定する。ここで、拘束テープ２１の襷がけによる拘束によっても、分岐部２の中心の空隙３がスペーサ部１１によって埋められているため、分岐部２の収縮方向に形態が変化しない。又、各分岐線Ｗ１〜Ｗ３の外周側が各電線仮保持部１２で包み込むようにされているため、各分岐線第１〜Ｗ３を拘束テープ２０，２１により拘束する作業がし易い。以上より、ワイヤーハーネスＷＨの分岐構造１Ｂを作成するに際して、ワイヤーハーネスＷＨの全体の寸法が短くならず、しかも、各分岐線Ｗ１〜Ｗ３の拘束作業性が向上する。
【００３６】
スペーサ部１１は、三角柱の形状である。従って、第２実施形態のように３分岐する場合に１つの分岐用補助部材１０を使用することによってほぼ隙間なく分岐部２に形成される空隙３を埋めることができる。
【００３７】
電線仮保持部１２は、スペーサ部１１側を内周面となる円弧形状である。従って、第１１〜第３分岐線Ｗ１〜Ｗ３の電線束の全体がほぼ円形状に近い形態になっているため、拘束テープ２０で拘束する作業性が非常に良い。
【００３８】
電線仮保持部１２は、スペーサ部１１を中心として９０度回転間隔の外側位置に配置された２個である。従って、第２実施形態のように３分岐する場合に、１つの分岐用補助部材１０を使用することによってほぼ９０度向きの方向で第１〜第３分岐線Ｗ１〜Ｗ３を引き出すことができる。
【００３９】
第１実施形態と第２実施形態は、共に同じ分岐用補助部材１０を用いて分岐構造１Ａ，１Ｂを作成できるため、部品の共用が可能である。
【００４０】
（第３実施形態：４分岐）
図１０には、本発明の第３実施形態が示されている。第３実施形態は、第１実施形態と同様に、ワイヤーハーネスＷＨの４分岐の分岐構造１Ｃである。
【００４１】
ここで、第１実施形態の分岐構造１Ａは、分岐部２によって形成される空隙３が１つであったが、この第３実施形態の分岐構造１Ｃは、分岐部２（図面では、大体の範囲を一点鎖線にて囲んで表示）によって形成される空隙３が２つ、つまり、２分割された空隙３が形成されている点で相違する。
【００４２】
図１０に示すように、２分割された空隙３のそれぞれに各スペーサ部１１が配置するように２つの分岐用補助部材１０を配置することによって第１実施形態と同様にして分岐構造１Ｃを作成できる。
【００４３】
（変形例）
本明細書では、スペーサ部１１は、各実施形態のように、分岐部２の空隙３をほぼ埋めるものであるが、分岐部２の空隙３の形状を変形させずに保持するものも含む。
【００４４】
第１実施形態では、２つの分岐用補助部材１０を用いたが、単一の分岐用補助部材（図示せず）としても良い。この場合、単一の分岐用補助部材（図示せず）は、四角柱状のスペーサ部と、スペーサ部に一体に設けられた４つの電線仮保持部とを備えたものを用いる。
【００４５】
第３実施形態でも、２つの分岐用補助部材１０を用いたが、単一の分岐用補助部材（図示せず）を用いても良い。この場合、単一の分岐用補助部材（図示せず）は、２つの三角柱のスペーサ部と、２つのスペーサ部に一体に設けられた４つの電線仮保持部とを備えたものを用いる。
【００４６】
第１、第３実施形態では４分岐の場合を説明し、第２実施形態では３分岐の場合を説明したが、５分岐以上の場合にも本発明は同様に適用できる。
【符号の説明】
【００４７】
ＷＨ  ワイヤーハーネス
Ｗ１  第１分岐線
Ｗ２  第２分岐線
Ｗ３  第３分岐線
Ｗ４  第４分岐線
２  分岐部
３  空隙
１０  分岐用補助部材
１１  スペーサ部
１２  電線仮保持部
２０，２１  拘束テープ
【図１】
2020149837.tif 000003
【図２】
2020149837.tif 000004
【図３】
2020149837.tif 000005
【図４】
2020149837.tif 000006
【図５】
2020149837.tif 000007
【図６】
2020149837.tif 000008
【図７】
2020149837.tif 000009
【図８】
2020149837.tif 000010
【図９】
2020149837.tif 000011
【図１０】
2020149837.tif 000012
【図１１】
2020149837.tif 000013